(57)【要約】【課題】ラックに取り付けられる箱本体３２と、この箱本体の内部に設置された光ファイバ心線接続部の余長収納トレイ３４とを備えた接続箱において、上又は下にある既設の伝送装置類に関係なく、光ケーブルを配線できるようにする。接続箱を小型化する。【解決手段】箱本体３２の側面壁３２ａの外面に、光ケーブル１２を引き留めるケーブル固定部５２及びテンションメンバ把持部５４を設け、かつ前記側面壁３２ａに光ケーブル１２の光ファイバ心線１６を箱本体３２内に導入する導入口５６を設ける。光ケーブル１２を側面壁３２ａの外面に引き留められるので、上下の伝送装置類に関係なく配線できる。箱本体３２内に光ケーブルを引き込まないので、接続箱を小型化できる。【選択図】　　図２
2004012648.tif 000002
【特許請求の範囲】
【請求項１】
ラックに取り付けられる箱本体と、この箱本体の内部に設置された光ファイバ心線接続部の余長収納トレイとを備えた接続箱において、前記箱本体の側面壁又は背面壁の外面に光ケーブルの引留部を設け、かつ引留部を設けた壁に前記光ケーブルの光ファイバ心線を箱本体内に導入する導入口を設けたことを特徴とするラック取り付け型接続箱。
【請求項２】
ラックに取り付けられる箱本体と、この箱本体の内部に設置された光ファイバ心線接続部の余長収納トレイとを備えた接続箱において、前記箱本体の側面壁又は背面壁に、光ケーブルの光ファイバ心線を箱本体内に導入する導入口を設け、この導入口に外側に出っ張るように囲い板を取り付け、この囲い板の内面に光ケーブルの引留部を設けたことを特徴とするラック取り付け型光ケーブル接続箱。
【発明の詳細な説明】
【０００１】
【発明の属する技術分野】本発明は、局舎等に設置されるラック取り付け型の接続箱に関するものである。
【０００２】
【従来の技術】従来のラック取り付け型接続箱を図６に示す。図において、１０は光ケーブル１２の固定ユニット、１４は光ファイバ心線１６、１７の融着接続ユニット、１８は光ファイバ心線１７のコネクタ接続ユニットである。
【０００３】光ケーブル固定ユニット１０は、図７に示すように、ラックへの取り付け部２０を有する箱本体２２と、ケーブル固定部２４、テンションメンバ把持金具２６、配線用金具２８などから構成されている。
【０００４】融着接続ユニット１４は、図８に示すように、ラックへの取り付け部３０を有する箱本体３２と、光ファイバ心線融着接続部の余長収納トレイ３４、配線用金具３６などから構成されている。
【０００５】コネクタ接続ユニット１８は、図９に示すように、ラックへの取り付け部３８を有する箱本体４０と、ＳＣコネクタ接続用のＳＣアダプタ４２、配線用金具４４などから構成されている。
【０００６】
【発明が解決しようとする課題】従来のラック取り付け型接続箱は、箱本体の内部に光ケーブルを導入して引き留める構造であるため、次のような問題があった。
（１）設置する箇所の上又は下に据え付け済みの伝送装置類がある場合や、柱等の障害物が隣接している場合、光ケーブルの導入ルートを確保するために、その逆側から又は障害物を迂回して光ケーブルを導入せざるを得ず、光ケーブル配線作業が面倒である。
（２）設計段階で、設置する箇所の上又は下に既設の伝送装置類があるか否かの確認が必要となり、設計の自由度が狭い。
（３）スペース効率がわるく、全体が大型になる。
本発明の目的は、上記のような課題を解決したラック取り付け型接続箱を提供することにある。
【０００７】
【課題を解決するための手段】この目的を達成するため本発明は、ラックに取り付けられる箱本体と、この箱本体の内部に設置された光ファイバ心線接続部の余長収納トレイとを備えた接続箱において、前記箱本体の側面壁又は背面壁の外面に光ケーブルの引留部を設け、かつ引留部を設けた壁に前記光ケーブルの光ファイバ心線を箱本体内に導入する導入口を設けたことを特徴とするものである。
【０００８】このようにすると、箱本体の外面に光ケーブルを引き留めて、光ケーブルの光ファイバ心線を箱本体の内部に導入できるため、接続箱設置箇所の上又は下に既設の伝送装置類があっても、それとは無関係に光ケーブルを配線することが可能となる。
【０００９】また本発明は、ラックに取り付けられる箱本体と、この箱本体の内部に設置された光ファイバ心線接続部の余長収納トレイとを備えた接続箱において、前記箱本体の側面壁又は背面壁に、光ケーブルの光ファイバ心線を箱本体内に導入する導入口を設け、この導入口に外側に出っ張るように囲い板を取り付け、この囲い板の内面に光ケーブルの引留部を設けた構成とすることもできる。
【００１０】このようにすると、さらに、ラックの前面側から光ケーブルの引留作業、光ファイバ心線の導入作業を行うことが可能となり、作業スペースがラックの前面側にしかない場合にも対応できる。
【００１１】
【発明の実施の形態】以下、本発明の実施の形態を、図面を参照して詳細に説明する。
【００１２】
〔実施形態１〕　図１は本発明の一実施形態を示す。このラック取り付け型接続箱５０は、ラックへの取り付け部３０を有する箱本体３２と、光ファイバ心線融着接続部の余長収納トレイ３４などを備えている。つまり従来の融着接続ユニット１４に相当するものである。このラック取り付け型接続箱５０の特徴は、箱本体３２の側面壁３２ａの外面に、上下に間隔をあけて光ケーブル固定部５２とテンションメンバ把持金具５４（この両者が光ケーブルの引留部を構成する）を設けたことと、前記側面壁３２ａの、光ケーブル固定部５２とテンションメンバ把持金具５４の間に相当する位置に、光ケーブルの端部に露出させた光ファイバ心線を箱本体３２内に導入する導入口５６を設けたことである。
【００１３】図２は上記のように構成された接続箱５０をラック（図示せず）に取り付けた後、光ケーブル１２を配線した状態を示す。接続箱５０の下にはコネクタ接続ユニット（図６の１８）が設置されているが図示を省略してある。光ケーブル１２の端部では外被を除去して光ファイバ心線及びテンションメンバを露出させる。光ケーブル１２の外被を被った部分はケーブル固定部５２に適当な固定部材（バンド又は把持金具等）により固定される。テンションメンバはテンションメンバ把持金具５４に固定される。光ファイバ心線１６は導入口５６から箱本体３２内に導入されて、コネクタ接続ユニット側へ行く光ファイバ心線１７と融着接続され、接続余長は余長収納トレイ３４に収納される。
【００１４】このラック取り付け型接続箱５０は、箱本体３２の側面壁３２ａの外面に光ケーブル１２を引き留めて、光ファイバ心線１６を箱本体３２内に引き込むことができるため、伝送装置類の設置状況を考慮することなくラックに取り付けることができ、ラックに取り付けた状態で光ケーブルを配線することができる。
【００１５】
〔実施形態２〕　図３は本発明の他の実施形態を示す。実施形態１では箱本体３２の側面壁３２ａの外側でケーブル引留などの作業を行う必要があるが、周囲の状況によっては側面壁３２ａの外側に作業スペースが十分とれない場合もある。この実施形態は、このような場合に対応するため、箱本体３２の前面側からケーブル引留などの作業を行えるようにしたものである。
【００１６】図３において、図１と同一部分には同一符号を付してあるので、重複する説明は省略する。この実施形態が前記実施形態１と異なる点は、箱本体３２の側面壁３２ａに光ケーブルの光ファイバ心線を導入する導入口５６を形成して、この導入口５６に、外側に出っ張る目隠しのように囲い板５８を取り付け、この囲い板５８の内面に光ケーブル固定部５２及びテンションメンバ把持金具５４を設けたことである。
【００１７】囲い板５８は図４に示すように金属板を断面凹形に折り曲げ、さらにその両側辺を外側へ折り曲げて取り付け片５８ａを形成したものである。この囲い板５８の凹形部は、導入口５６に嵌め込める大きさであり、凹形部を導入口５６に嵌め込むと、取り付け片５８ａが側面壁３２ａに当接するようになっている。この囲い板５８は、箱本体３２をラックに取り付けた後に、箱本体３２の内側から凹形部を導入口５６に嵌め込み（これにより凹形部が側面壁３２ａの外側に出っ張る）、取り付け片５８ａを側面壁３２ａの内面にネジ等により固定することにより、箱本体３２に取り付けられる。囲い板５８の内面には予め光ケーブル固定部５２及びテンションメンバ把持金具５４が設けられている。
【００１８】以上のような構成にすると、図５に示すように、光ケーブル１２を側面壁３２ａの外側から囲い壁５８の内側に引き込み、光ケーブル１２の端部をケーブル固定部５２に固定すると共に、テンションメンバをテンションメンバ把持金具５４に固定し、さらに光ファイバ心線を導入口５６を通して箱本体３２内に導入することができる。これらの作業はすべて箱本体３２の前面側から行うことができる。したがって接続箱５０の側面壁の外側に十分な作業スペースが確保できない場合にも、対応可能である。
【００１９】
〔その他の実施形態〕　以上の実施形態では、箱本体３２の側面壁に光ケーブル引留部及び光ファイバ心線導入口を設けた場合を説明したが、光ケーブル引留部及び光ファイバ心線導入口は箱本体３２の背面壁に設けることもできる。
【００２０】なお本発明のラック取り付け型接続箱における余長収納トレイは、融着接続された光ファイバ心線の余長を収納するものに限定されるものではなく、メカニカルスプライス又は光コネクタにより接続された光ファイバ心線の余長を収納するものであってもよい。
【００２１】
【発明の効果】以上説明したように本発明によれば、箱本体の外側で光ケーブルを引き留め、引き留められた光ケーブルの光ファイバ心線を箱本体内に導入することができるため、次のような効果がある。
（１）設置する箇所の上又は下に既設の伝送装置類があっても、それとは関係なく光ケーブルを配線し、引き留めることができる。
（２）　設計段階で、設置する箇所の上又は下に既設の伝送装置類があるか否かの確認が不要となり、設計が容易になる。
（３）　従来の光ケーブル固定ユニット分のスペースが不要となるので、全体を小型化できる。
【図面の簡単な説明】
【図１】本発明に係るラック取り付け型接続箱の一実施形態を示す、（Ａ）は正面図、（Ｂ）は左側面図、（Ｃ）は右側面図、（Ｄ）は平面図。
【図２】図１のラック取り付け型接続箱に光ケーブルを配線した状態を示す、（Ａ）は正面図、（Ｂ）は左側面図、（Ｃ）は右側面図、（Ｄ）は平面図。
【図３】本発明に係るラック取り付け型接続箱の他の実施形態を示す、（Ａ）は正面図、（Ｂ）は左側面図、（Ｃ）は右側面図、（Ｄ）は平面図。
【図４】図３のラック取り付け型接続箱の組立方を示す、（Ａ）は箱本体の正面図、（Ｂ）は同左側面図、（Ｃ）は同右側面図、（Ｄ）は囲い枠の正面図、（Ｅ）は同左側面図、（Ｆ）は同右側面図、（Ｇ）は同平面図。
【図５】図３のラック取り付け型接続箱に光ケーブルを配線した状態を示す、（Ａ）は正面図、（Ｂ）は左側面図、（Ｃ）は右側面図、（Ｄ）は平面図。
【図６】従来のラック取り付け型接続箱を示す、（Ａ）は正面図、（Ｂ）は側面図。
【図７】図６のラック取り付け型接続箱の光ケーブル固定ユニットを示す、（Ａ）は背面図、（Ｂ）は平面図、（Ｃ）は側面図。
【図８】図６のラック取り付け型接続箱の融着接続ユニットを示す、（Ａ）は背面図、（Ｂ）は平面図、（Ｃ）は側面図。
【図９】図６のラック取り付け型接続箱のコネクタ接続ユニットを示す、（Ａ）は背面図、（Ｂ）は平面図、（Ｃ）は正面図、（Ｄ）は側面図。
【符号の説明】
１２：光ケーブル
１６：光ファイバ心線
３０：ラックへの取り付け部
３２：箱本体
３４：余長収納トレイ
５０：ラック取り付け型接続箱
５２：光ケーブル固定部
５４：テンションメンバ把持金具
５６：導入口
５８：囲い板
【図１】
2004012648.tif 000003
【図２】
2004012648.tif 000004
【図３】
2004012648.tif 000005
【図４】
2004012648.tif 000006
【図５】
2004012648.tif 000007
【図６】
2004012648.tif 000008
【図７】
2004012648.tif 000009
【図８】
2004012648.tif 000010
【図９】
2004012648.tif 000011